(57)【要約】【課題】バーナヘッド３の外周面に開口する多数の主炎口４ｍを有する主バーナ部と、バーナヘッドの外周面に主炎口の下側で開口する多数の副炎口４ｓを有する副バーナ部とを備え、副バーナ部のみに燃料ガスを供給して副バーナ部のみを燃焼させる状態と主バーナ部にも燃料ガスを供給して主バーナ部も燃焼させる状態とに切換自在としたコンロバーナにおいて、バーナ外径が小さくても主バーナ部での一次空気不足による燃焼不良を生じないようにする。【解決手段】副バーナ部は、副バーナ用混合管５ｓの上流端の流入口５ｓａから一次空気が吸引されるようにした自然給気式バーナで構成され、主バーナ部は、主バーナ用混合管５ｍに給気ファン８から一次空気を強制的に供給する強制給気式バーナで構成される。【選択図】図１
2015007512.tif 000002
【特許請求の範囲】
【請求項１】
バーナヘッドの外周面に開口する多数の主炎口を有する主バーナ部と、バーナヘッドの外周面に主炎口の下側で開口する多数の副炎口を有する副バーナ部とを備え、副バーナ部のみに燃料ガスを供給して副バーナ部のみを燃焼させる状態と主バーナ部にも燃料ガスを供給して主バーナ部も燃焼させる状態とに切換自在としたコンロバーナにおいて、
副バーナ部は、副バーナ用混合管の上流端の流入口から一次空気が吸引されるようにした自然給気式バーナで構成され、
主バーナ部は、主バーナ用混合管に接続した給気ファンから一次空気を強制的に供給する強制給気式バーナで構成されることを特徴とするコンロバーナ。
【請求項２】
前記主バーナ部に燃料ガスを供給して、前記副バーナ部から主バーナ部に火移り着火させる際は、主バーナ部への燃料ガスの供給開始から所定時間経過するまで、前記給気ファンを停止し、或いは、給気ファンの回転数を主バーナ部への燃料ガスの供給量に対応する基準回転数よりも低くすることを特徴とする請求項１記載のコンロバーナ。
【発明の詳細な説明】
【技術分野】
【０００１】
本発明は、バーナヘッドの外周面に開口する多数の主炎口を有する主バーナ部と、バーナヘッドの外周面に主炎口の下側で開口する多数の副炎口を有する副バーナ部とを備えるコンロバーナに関する。
【背景技術】
【０００２】
従来、この種のコンロバーナとして、副バーナ部のみに燃料ガスを供給して副バーナ部のみを燃焼させる状態と主バーナ部にも燃料ガスを供給して主バーナ部も燃焼させる状態とに切換自在としたものが知られている（例えば、特許文献１参照）。
【０００３】
ここで、上記従来例のもので、主バーナ部及び副バーナ部は、主バーナ用と副バーナ用の各混合管の上流端の流入口から一次空気が吸引されるようにした自然給気式バーナで構成され、主バーナ部及び副バーナ部に各混合管を介して空気過剰率（一次空気量／理論空気量）が１未満の混合気が供給されるようにしている。また、従来、主バーナ部に供給される混合気の空気過剰率を副バーナに供給される混合気の空気過剰率よりも高くし、主バーナ部の火炎が二次空気を求めて上方に長くのびることを抑制できるようにしたものも知られている（特許文献２参照）。
【０００４】
ところで、コンロバーナで調理容器を加熱する際の熱効率を向上させるには、調理容器をその底面中央部に亘って加熱できるように、バーナ外径（バーナヘッドの外径）を小さくすることが望まれる。然し、バーナ外径を小さくすると、バーナ内部の圧力損失が大きくなって、一次空気の吸引量が減少する。従って、主バーナ部での一次空気不足による燃焼不良を防止する上で、バーナ外径はあまり小さくできず、熱効率を十分に向上するまでには至っていないのが現状である。
【先行技術文献】
【特許文献】
【０００５】
【特許文献１】特開２００８−２８１２７１号公報
【特許文献１】特開２００９−５８１９５号公報
【発明の概要】
【発明が解決しようとする課題】
【０００６】
本発明は、以上の点に鑑み、バーナ外径が小さくても主バーナ部での一次空気不足による燃焼不良を生じないようにしたコンロバーナを提供することをその課題としている。
【課題を解決するための手段】
【０００７】
上記課題を解決するために、本発明は、バーナヘッドの外周面に開口する多数の主炎口を有する主バーナ部と、バーナヘッドの外周面に主炎口の下側で開口する多数の副炎口を有する副バーナ部とを備え、副バーナ部のみに燃料ガスを供給して副バーナ部のみを燃焼させる状態と主バーナ部にも燃料ガスを供給して主バーナ部も燃焼させる状態とに切換自在としたコンロバーナにおいて、副バーナ部は、副バーナ用混合管の上流端の流入口から一次空気が吸引されるようにした自然給気式バーナで構成され、主バーナ部は、主バーナ用混合管に給気ファンから一次空気を強制的に供給する強制給気式バーナで構成されることを特徴とする。
【０００８】
本発明によれば、主バーナ部を強制給気式バーナで構成するため、バーナ外径が小さくて圧力損失が大きくなっても、一次空気不足による燃焼不良を生じない。従って、バーナ外径を小さくして、主バーナ部も燃焼させる強火状態での熱効率を向上させることができる。また、副バーナ部も強制給気式バーナで構成すると、吹き消えを防止する上で副バーナ部への燃料ガスの供給量を然程絞ることができなくなるが、本発明の如く副バーナ部を自然給気式バーナで構成すれば、吹き消えを生ずることなく副バーナ部への燃料ガスの供給量を十分に絞ることができ、ターンダウン比を大きく確保することが可能になる。
【０００９】
また、本発明において、主バーナ部に燃料ガスを供給して、副バーナ部から主バーナ部に火移り着火させる際は、主バーナ部への燃料ガスの供給開始から所定時間経過するまで、給気ファンを停止し、或いは、給気ファンの回転数を主バーナ部への燃料ガスの供給量に対応する基準回転数よりも低くすることが望ましい。ここで、主バーナ部の着火時に一次空気量が多いと、逆火や着火音が大きくなる等の不具合を生ずるが、上記の如く給気ファンを停止したり、ファン回転数を低くすることでかかる不具合を防止できる。
【図面の簡単な説明】
【００１０】
【図１】本発明の実施形態のコンロバーナの斜視図。
【図２】図１のＩＩ−ＩＩ線で切断した断面図。
【図３】主バーナ部への燃料ガスの供給開始時の給気ファンの制御内容を示すフロー図。
【発明を実施するための形態】
【００１１】
図１を参照して、本発明の実施形態のコンロバーナ１は、図示省略したコンロ天板のバーナ用開口に挿通されるバーナボディ２と、バーナボディ２上の環状のバーナヘッド３とを備えている。バーナヘッド３の外周面には、主炎口４ｍとその下側に位置する副炎口４ｓとが夫々周方向の間隔を存して多数開口している。尚、副炎口４ｓの総開口面積は、主炎口４ｍの総開口面積よりも小さい。
【００１２】
バーナボディ２は、図２に示す如く、外側の筒体２１と中間の筒体２２と内側の筒体２３との内外３重の筒体を備えている。バーナヘッド３は、内周にバーナボディ２の中間筒体２２に嵌合する筒部３１ａを垂設した環状の下ヘッド部材３１と、下面内周部にバーナボディ２の内側筒体２３に嵌合する筒部３２ａを垂設した環状の上ヘッド部材３２とで構成されている。
【００１３】
下ヘッド部材３１の上面外周部には、上ヘッド部材３２が着座する上環状壁３３が立設されている。上環状壁３３には、その上端面から下方に窪む主炎口４ｍとなる溝が周方向の間隔を存して多数形成されている。そして、これらの溝の上端が上ヘッド部材３２により閉塞されることで、下ヘッド部材３１と上ヘッド部材３２との間に主炎口４ｍが画成されるようにしている。また、主炎口４ｍは、下ヘッド部材３１と上ヘッド部材３２とバーナボディ２の中間筒体２２と内側筒体２３とで囲われる空間に連通しており、これら下ヘッド部材３１、上ヘッド部材３２、中間筒体２２及び内側筒体２３で主炎口４ｍを有する主バーナ部１ｍが構成される。
【００１４】
また、下ヘッド部材３１の下面外周部には、バーナボディ２の外側筒体２１の上端部に着座する下環状壁３４が垂設されている。下環状壁３４には、その下端面から上方に窪む副炎口４ｓとなる溝が周方向の間隔を存して多数形成されている。そして、これら溝の下端が外側筒体２１の上端部により閉塞されることで、バーナボディ２と下ヘッド部材３１との間に副炎口４ｓが画成されるようにしている。また、副炎口４ｓは、下ヘッド部材３１とバーナボディ２の外側筒体２１と中間筒体２２とで囲われる空間に連通しており、これら下ヘッド部材３１、外側筒体２１及び中間筒体２２で副炎口４ｓを有する副バーナ部１ｓが構成される。
【００１５】
バーナ１は、更に、バーナボディ２の中間筒体２２と内側筒体２３との間の空間に連通する主バーナ用混合管５ｍと、バーナボディ２の外側筒体２１と中間筒体２２との間の空間に連通する副バーナ用混合管５ｓとを備える。図１を参照して、主バーナ用混合管５ｍには、共通ガス供給路６から分岐した主バーナ用ガス供給路６ｍを介して燃料ガスが供給され、副バーナ用混合管５ｓには、共通ガス供給路６から分岐した副バーナ用ガス供給路６ｓを介して燃料ガスが供給される。
【００１６】
共通ガス供給路６には、元電磁弁６１と、ガス流量調節弁６２とが介設され、また、主バーナ用ガス供給路６ｍには、主バーナ用電磁弁６３が介設されている。そして、主バーナ用電磁弁６３の閉弁と開弁とにより、副バーナ部１ｓのみに燃料ガスを供給して副バーナ部１ｓのみを燃焼させる状態と、主バーナ部１ｍにも燃料ガスを供給して主バーナ１ｍも燃焼させる状態とに切換自在としている。尚、副バーナ部１ｓの周方向一箇所に臨ませて点火プラグ７が設けられており、図示省略した点消火用の操作子の点火操作による点火プラグ７での火花放電で副バーナ部１ｓに点火される。
【００１７】
ここで、副バーナ部１ｓは、副バーナ用混合管５ｓの上流端の流入口５ｓａに臨む図示省略したガスノズルからの燃料ガスの噴射に伴い流入口５ｓａから一次空気が吸引されるようにした自然給気式バーナで構成される。一方、主バーナ用混合管５ｍの上流端には給気ファン８が接続されている。そして、主バーナ部１ｍは、給気ファン８から一次空気を強制的に供給する強制給気式バーナで構成される。尚、主バーナ用混合管５ｍの上流端近傍の側面には、混合管５ｍ内部の図示省略したガスノズルに連なるガス流入口５ｍａが設けられており、このガス流入口５ｍａに主バーナ用ガス供給路６ｍが接続される。
【００１８】
上記元電磁弁６１、ガス流量調節弁６２、主バーナ用電磁弁６３及び給気ファン８は、マイクロコンピュータから成る図示省略した制御手段で制御される。元電磁弁６１は、点消火用の操作子の点火操作で開弁され、消火操作で閉弁されるように制御される。ガス流量調節弁６２は、図示省略した火力調節用の操作子に連動して開度が変化するように制御される。主バーナ用電磁弁６３は、火力調節用操作子が所定の中間位置を超えて強火側に操作されたときに開弁されるように制御される。また、給気ファン８は、火力調節用操作子が中間位置を超えて強火側に操作されたとき、即ち、主バーナ部１ｍで燃焼させるときに、主バーナ部１ｍへの燃料ガスの供給量に対応する基準回転数で回転するように制御される。この基準回転数は、主バーナ部１ｍに供給される混合気の空気過剰率が０．８〜１程度の比較的高い値になるように設定される。
【００１９】
本実施形態の如く主バーナ部１ｍを強制給気式バーナで構成すれば、バーナ外径が小さくて圧力損失が大きくなっても、一次空気不足による燃焼不良を生じない。従って、バーナ外径を小さくして、主バーナ部１ｍも燃焼させる強火状態での熱効率を向上させることができる。尚、副バーナ部１ｓも強制給気式バーナで構成すると、吹き消えを防止する上で副バーナ部１ｓへの燃料ガスの供給量を然程絞ることができなくなるが、本実施形態の如く副バーナ部１ｓを自然給気式バーナで構成すれば、吹き消えの恐れなく副バーナ部１ｓへの燃料ガスの供給量を十分に絞ることができ、ターンダウン比を大きく確保することが可能になる。
【００２０】
ところで、主バーナ用電磁弁６３の開弁で主バーナ部１ｍに燃料ガスを供給して、副バーナ部１ｓから主バーナ部１ｍに火移り着火させる際に、主バーナ部１ｍに供給される一次空気量が多いと、逆火や着火音が大きくなる等の不具合を生ずる。また、主バーナ用電磁弁６３の開弁当初は、ガス流量調節弁６２を通過したガスの主バーナ用ガス供給路６ｓへの分流が開始されて、副バーナ部１ｓへの燃料ガスの供給量が一時的に減少するため、主バーナ部１ｍに供給される一次空気量が多いと、主バーナ部１ｍから噴出する空気により副バーナ部１ｓでの吹き消えを生ずる恐れがある。
【００２１】
そこで、本実施形態では、制御手段により、給気ファン８を以下の如く制御するようにした。即ち、図３に示す如く、主バーナ部１ｍへの燃料ガスの供給を開始したとき、即ち、主バーナ用電磁弁６３を開弁させたとき（ＳＴＥＰ１）、給気ファン８を主バーナ用電磁弁６３の開弁前と同様に停止状態に維持するか、或いは、給気ファン８を主バーナ部１ｍへの燃料ガスの供給量に対応する基準回転数よりも低い回転数で回転させる（ＳＴＥＰ２）。そして、主バーナ用電磁弁６３の開弁（主バーナ部１ｍへの燃料ガスの供給開始）から所定時間（例えば、２秒）経過したか否かを判別し（ＳＴＥＰ３）、所定時間経過するまでは、給気ファン８を停止状態或いは低回転状態に維持し、所定時間経過後に給気ファン８を主バーナ部１ｍへの燃料ガスの供給量に対応する基準回転数で回転させる（ＳＴＥＰ４）。
【００２２】
これにより、主バーナ部１ｍに燃料ガスを供給して主バーナ部１ｍに着火させる際に、逆火を生じたり、着火音が大きくなったり、副バーナ部１ｓの吹き消えを生ずるといった不具合を防止することができる。
【００２３】
以上、本発明の実施形態について図面を参照して説明したが、本発明はこれに限定されない。例えば、上記実施形態では、共通ガス供給路６にガス流量調節弁６２を介設しているが、主バーナ用ガス供給路６ｍと副バーナ用ガス供給路６ｓとに夫々ガス流量調節弁を介設してもよい。この場合、主バーナ用ガス供給路６ｍに介設するガス流量調節弁を主バーナ用ガス供給路６ｍを完全に閉鎖する閉弁機能付きのものとして、上記実施形態の主バーナ用電磁弁６３を省略することも可能である。
【符号の説明】
【００２４】
１…コンロバーナ、１ｍ…主バーナ部、１ｓ…副バーナ部、３…バーナヘッド、４ｍ…主炎口、４ｓ…副炎口、５ｍ…主バーナ用混合管、５ｓ…副バーナ用混合管、８…給気ファン。
【図１】
2015007512.tif 000003
【図２】
2015007512.tif 000004
【図３】
2015007512.tif 000005